【手続補正書】
【提出日】平成28年8月8日(2016.8.8)
【手続補正１】
【補正対象書類名】特許請求の範囲
【補正対象項目名】全文
【補正方法】変更
【補正の内容】
【特許請求の範囲】
【請求項１】
対象の眼に対してコンタクトレンズを適合させるためのシステムであって、前記システムは、
前記眼の最平坦角膜経線における曲率半径を決定するための手段と、
コンタクトレンズであって、前記眼の最平坦角膜経線における曲率から約２．０ジオプタ〜約６．０ジオプタだけ変動する曲率を伴う視覚ゾーンを有するコンタクトレンズと、
前記眼の前記角膜の矢状方向深度を決定するための手段であって、前記コンタクトレンズは、前記角膜の前記矢状方向深度に約０．０５ｍｍ〜約０．２５ｍｍの距離を加えたものに等しい曲率半径を伴う視覚ゾーンを有する、手段と
を含む、システム。
【請求項２】
前記コンタクトレンズは、前記眼の最平坦角膜経線における曲率よりも約２．０ジオプタ〜約６．０ジオプタだけ大きい曲率を伴う視覚ゾーンを有する、請求項１に記載のシステム。
【請求項３】
前記コンタクトレンズは、前記眼の最平坦角膜経線における曲率よりも約２．０ジオプタ〜約６．０ジオプタだけ小さい曲率を伴う視覚ゾーンを有する、請求項１に記載のシステム。
【請求項４】
前記コンタクトレンズは、前記眼の最平坦角膜経線における曲率から約３．５ジオプタ〜約５．５ジオプタだけ変動する曲率を伴う視覚ゾーンを有する、請求項１に記載のシステム。
【請求項５】
前記コンタクトレンズは、前記コンタクトレンズが前記眼につけられたときに、前記眼の前記角膜と前記コンタクトレンズとの間の流体体積が約０．０５立方ｍｍ〜約０．３立方ｍｍに維持されるように寸法を合わせられている、請求項１に記載のシステム。
【請求項６】
前記コンタクトレンズは、前記コンタクトレンズが前記眼につけられたときに、前記眼の瞬きの際、前記コンタクトレンズが１ｍｍよりも多く移動しないように寸法を合わせられている、請求項１に記載のシステム。
【請求項７】
前記コンタクトレンズは、前記コンタクトレンズが前記眼につけられたときに、直径が０．５ｍｍよりも大きい気泡が前記コンタクトレンズと前記眼との間に形成することが防止されるように寸法を合わせられている、請求項１に記載のシステム。
【請求項８】
前記システムは、老視、コンピュータ視覚症候群（ＣＶＳ）、および、不十分な遠近調節から成る群から選択される眼科的状態を治療するためのものである、請求項１に記載のシステム。
【請求項９】
前記システムは、前記コンタクトレンズが前記眼につけられたときに、前記コンタクトレンズと前記眼との間に適用することが可能な治療薬をさらに含む、請求項８に記載のシステム。
【請求項１０】
対象の眼に対してコンタクトレンズを適合させるためのシステムであって、前記システムは、
前記眼の最平坦角膜経線における曲率半径を決定するための手段と、
コンタクトレンズであって、前記コンタクトレンズが前記眼につけられたときに、前記眼の前記角膜と前記コンタクトレンズとの間の流体体積が約０．０５立方ｍｍ〜約０．３立方ｍｍに維持されるように、前記眼の最平坦角膜経線における曲率から約２．０ジオプタ〜約６．０ジオプタだけ変動する曲率を伴う視覚ゾーンを有するコンタクトレンズと
を含む、システム。
【請求項１１】
前記眼の前記角膜と前記コンタクトレンズとの間の前記流体体積は、涙液体積である、請求項１０に記載のシステム。
【請求項１２】
前記眼の前記角膜の矢状方向深度を決定するための手段をさらに含み、  前記コンタクトレンズは、前記角膜の前記矢状方向深度に約０．０５ｍｍ〜約０．２５ｍｍの距離を加えたものに等しい曲率半径を伴う視覚ゾーンを有する、請求項１０に記載のシステム。
【請求項１３】
前記コンタクトレンズは、前記眼の最平坦角膜経線における曲率から約３．５ジオプタ〜約５．５ジオプタだけ変動する曲率を伴う視覚ゾーンを有する、請求項１０に記載のシステム。
【請求項１４】
前記コンタクトレンズは、前記コンタクトレンズが前記眼につけられたときに、前記眼の瞬きの際、前記コンタクトレンズが１ｍｍよりも多く移動しないように寸法を合わせられている、請求項１０に記載のシステム。
【請求項１５】
前記コンタクトレンズは、前記コンタクトレンズが前記眼につけられたときに、直径が０．５ｍｍよりも大きい気泡が前記コンタクトレンズと前記眼との間に形成することが防止されるように寸法を合わせられている、請求項１０に記載のシステム。
【請求項１６】
前記システムは、老視、コンピュータ視覚症候群（ＣＶＳ）、および、不十分な遠近調節から成る群から選択される眼科的状態を治療するためのものである、請求項１０に記載のシステム。
【請求項１７】
前記システムは、前記コンタクトレンズが前記眼につけられたときに、前記コンタクトレンズと前記眼との間に適用することが可能な治療薬をさらに含む、請求項１６に記載のシステム。
【請求項１８】
コンタクトレンズであって、前記コンタクトレンズは、
７．０ｍｍ〜９．０ｍｍの視覚ゾーン直径と約７．０ｍｍ〜約１０．０ｍｍの曲率半径とを有する視覚ゾーンと、
前記視覚ゾーンを包囲する内周領域であって、前記内周領域は、前記視覚ゾーンの曲率半径よりも約０．５ｍｍ〜約１．５ｍｍ大きい曲率半径を有する、内周領域と
を備え、
前記コンタクトレンズは、前記コンタクトレンズが眼につけられたときに、前記眼の角膜と前記コンタクトレンズとの間の流体体積が約０．０５立方ｍｍ〜約０．３立方ｍｍに維持されるように、前記眼の前記角膜上に配置されるように構成されている、コンタクトレンズ。
【請求項１９】
前記コンタクトレンズの前記視覚ゾーンは、前記眼の前記角膜の矢状方向深度に約０．０５ｍｍ〜約０．２５ｍｍの距離を加えたものに等しい曲率半径を有する、請求項１８に記載のコンタクトレンズ。
【請求項２０】
眼科的状態を治療するためのシステムであって、前記システムは、請求項１８に記載のコンタクトレンズと、前記眼科的状態に罹患しているか、または、罹患している可能性が高い対象の眼に適用可能な１つ以上の角膜軟化剤とを含む、システム。
【請求項２１】
前記状態は、老視、コンピュータ視覚症候群（ＣＶＳ）、または、不十分な遠近調節である、請求項２０に記載のシステム。
【請求項２２】
前記１つ以上の角膜軟化剤は、ヒアルロニダーゼ、コンドロイチナーゼＡＢＣ、コンドロイチナーゼＡＣ、エンドＢ−ガラクトシダーゼ（ケラタナーゼ）、ストロメライシン（ＭＭ３）、細菌性コラゲナーゼ、間質性コラゲナーゼ（ＭＭ１）、および、ゼラチナーゼ（ＭＭ２）から成る群から選択される、請求項２０に記載のシステム。
【請求項２３】
前記システムは、前記眼に適用可能なヒアルロニダーゼおよび細菌性コラゲナーゼを含む、請求項２２に記載のシステム。
【請求項２４】
前記眼に適用可能な約１〜約１０ＵＳＰ単位／ｍＬのヒアルロニダーゼと約５〜約１５ＵＳＰ単位／ｍＬの細菌性コラゲナーゼとを含む、請求項２３に記載のシステム。
【手続補正２】
【補正対象書類名】明細書
【補正対象項目名】００１４
【補正方法】変更
【補正の内容】
【００１４】
本発明の利点、新規の特徴、および、目的は、概略的であり、一定の縮尺で描かれることを目的としていない、添付図面と併せて考慮されるときに、以下の発明を実施するための形態から明白となるであろう。明確にする目的で、全ての構成要素が全ての図中で標識されるわけではなく、本発明の各実施形態の全ての構成要素が示されているわけでもなく、当業者が本発明を理解することを可能にするために例証が必要なわけではない。
本発明は、例えば、以下を提供する。
（項目１）
対象の眼に対してコンタクトレンズを適合させる方法であって、前記方法は、
前記眼の最平坦角膜経線における曲率半径を決定することと、
前記眼の最平坦角膜経線における曲率から約２．０ジオプタ〜約６．０ジオプタだけ変動する曲率を伴う視覚ゾーンを有するコンタクトレンズを選択することと、
前記眼の前記角膜の矢状方向深度を決定し、前記角膜の前記矢状方向深度に約０．０５ｍｍ〜約０．２５ｍｍの距離を加えたものに等しい曲率半径を伴う視覚ゾーンを有するコンタクトレンズを選択することと
を含む、方法。
（項目２）
前記コンタクトレンズを選択することは、前記眼の最平坦角膜経線における曲率よりも約２．０ジオプタ〜約６．０ジオプタだけ大きい曲率を伴う視覚ゾーンを有するコンタクトレンズを選択することを含む、項目１に記載の方法。
（項目３）
前記コンタクトレンズを選択することは、前記眼の最平坦角膜経線における曲率よりも約２．０ジオプタ〜約６．０ジオプタだけ小さい曲率を伴う視覚ゾーンを有するコンタクトレンズを選択することを含む、項目１に記載の方法。
（項目４）
コンタクトレンズを選択することは、前記眼の最平坦角膜経線における曲率から約３．５ジオプタ〜約５．５ジオプタだけ変動する曲率を伴う視覚ゾーンを有するコンタクトレンズを選択することを含む、項目１に記載の方法。
（項目５）
コンタクトレンズを選択することは、前記コンタクトレンズが前記眼の上に適合させられるときに、前記眼の前記角膜と前記コンタクトレンズとの間の流体体積が約０．０５立方ｍｍ〜約０．３立方ｍｍに維持されるように、コンタクトレンズを選択することを含む、項目１に記載の方法。
（項目６）
コンタクトレンズを選択することは、前記コンタクトレンズが前記眼の上に適合させられるときに、前記眼が瞬きしても、前記コンタクトレンズが１ｍｍよりも多く移動しないように、コンタクトレンズを選択することを含む、項目１に記載の方法。
（項目７）
コンタクトレンズを選択することは、前記コンタクトレンズが前記眼の上に適合させられるときに、直径が０．５ｍｍよりも大きい気泡が前記コンタクトレンズと前記眼との間に形成することが防止されるように、コンタクトレンズを選択することを含む、項目１に記載の方法。
（項目８）
老視、コンピュータ視覚症候群（ＣＶＳ）、および、不十分な遠近調節から成る群から選択される眼科的状態を治療することをさらに含む、項目１に記載の方法。
（項目９）
前記眼科的状態を治療することは、前記コンタクトレンズが前記眼の上に適合させられるときに、前記コンタクトレンズと前記眼との間に治療薬を適用することを含む、項目８に記載の方法。
（項目１０）
対象の眼に対してコンタクトレンズを適合させる方法であって、前記方法は、
前記眼の最平坦角膜経線における曲率半径を決定することと、
前記コンタクトレンズが前記眼の上に適合させられるときに、前記眼の前記角膜と前記コンタクトレンズとの間の流体体積が約０．０５立方ｍｍ〜約０．３立方ｍｍに維持されるように、前記眼の最平坦角膜経線における曲率から約２．０ジオプタ〜約６．０ジオプタだけ変動する曲率を伴う視覚ゾーンを有するコンタクトレンズを選択することと
を含む、方法。
（項目１１）
前記眼の前記角膜と前記コンタクトレンズとの間の前記流体体積は、涙液体積である、項目１０に記載の方法。
（項目１２）
前記眼の角膜の矢状方向深度を決定し、前記角膜の前記矢状方向深度に約０．０５ｍｍ〜約０．２５ｍｍの距離を加えたものに等しい曲率半径を伴う視覚ゾーンを有するコンタクトレンズを選択することをさらに含む、項目１０に記載の方法。
（項目１３）
コンタクトレンズを選択することは、前記眼の最平坦角膜経線における曲率から約３．５ジオプタ〜約５．５ジオプタだけ変動する曲率を伴う視覚ゾーンを有するコンタクトレンズを選択することを含む、項目１０に記載の方法。
（項目１４）
コンタクトレンズを選択することは、前記コンタクトレンズが前記眼の上に適合させられるときに、前記眼が瞬きしても、前記コンタクトレンズが１ｍｍよりも多く移動しないように、コンタクトレンズを選択することを含む、項目１０に記載の方法。
（項目１５）
コンタクトレンズを選択することは、前記コンタクトレンズが前記眼の上に適合させられるときに、直径が０．５ｍｍよりも大きい気泡が前記コンタクトレンズと前記眼との間に形成することが防止されるように、コンタクトレンズを選択することを含む、項目１０に記載の方法。
（項目１６）
老視、コンピュータ視覚症候群（ＣＶＳ）、および、不十分な遠近調節から成る群から選択される眼科的状態を治療することをさらに含む、項目１０に記載の方法。
（項目１７）
前記眼科的状態を治療することは、前記コンタクトレンズが前記眼の上に適合させられるときに、前記コンタクトレンズと前記眼との間に治療薬を適用することを含む、項目１６に記載の方法。
（項目１８）
コンタクトレンズを使用する方法であって、前記方法は、
前記コンタクトレンズが眼の上に適合させられるときに、前記眼の角膜と前記コンタクトレンズとの間の流体体積が約０．０５立方ｍｍ〜約０．３立方ｍｍに維持されるように、コンタクトレンズを前記眼の前記角膜上に配置すること
を含み、
前記コンタクトレンズは、
７．０ｍｍ〜９．０ｍｍの視覚ゾーン直径と約７．０ｍｍ〜約１０．０ｍｍの曲率半径とを有する視覚ゾーンと、
前記視覚ゾーンを包囲する内周領域であって、前記内周領域は、前記視覚ゾーンの曲率半径よりも約０．５ｍｍ〜約１．５ｍｍ大きい曲率半径を有する、内周領域と
を備える、方法。
（項目１９）
前記コンタクトレンズの前記視覚ゾーンは、前記眼の前記角膜の矢状方向深度に約０．０５ｍｍ〜約０．２５ｍｍの距離を加えたものに等しい曲率半径を有する、項目１８に記載の方法。
（項目２０）
眼科的状態を治療するための方法であって、前記方法は、項目１８に記載のコンタクトレンズを使用し、前記眼科的状態に罹患しているか、または、罹患している可能性が高い対象の眼に１つ以上の角膜軟化剤を適用することを含む、方法。
（項目２１）
前記状態は、老視、コンピュータ視覚症候群（ＣＶＳ）、または、不十分な遠近調節である、項目２０に記載の方法。
（項目２２）
前記１つ以上の角膜軟化剤は、ヒアルロニダーゼ、コンドロイチナーゼＡＢＣ、コンドロイチナーゼＡＣ、エンドＢ−ガラクトシダーゼ（ケラタナーゼ）、ストロメライシン（ＭＭ３）、細菌性コラゲナーゼ、間質性コラゲナーゼ（ＭＭ１）、および、ゼラチナーゼ（ＭＭ２）から成る群から選択される、項目２０に記載の方法。
（項目２３）
前記方法は、ヒアルロニダーゼおよび細菌性コラゲナーゼを前記眼に適用することを含む、項目２２に記載の方法。
（項目２４）
約１〜約１０ＵＳＰ単位／ｍＬのヒアルロニダーゼと約５〜約１５ＵＳＰ単位／ｍＬの細菌性コラゲナーゼとを前記眼に適用することを含む、項目２３に記載の方法。